(57)【要約】【課題】元画像に、元画像を解析して得られた解析画像が重畳された重畳画像を用いて診断を行う際に、医師が、その場で時間をかけることなく解析画像のみを見やすくできるようにする。【解決手段】医用画像表示装置４は、元画像及び解析画像Ｉｏｒｇ，Ｉ０，Ｉａを他の装置２，３から取得する取得手段と、取得手段が取得した元画像Ｉ０と解析画像Ｉａの一方の画像に所定の画像処理を施す、又は元画像Ｉ０と解析画像Ｉａの両方の画像に異なる画像処理をそれぞれ施す画像処理手段と、取得手段が取得した元画像Ｉ０又は画像処理手段が元画像Ｉ０に画像処理を施して得られた処理済み元画像に、取得手段が取得した解析画像Ｉａ又は画像処理手段が解析画像に画像処理を施して得られた処理済み解析画像Ｉｔを重畳して処理済み重畳画像Ｉを生成する重畳手段と、重畳画像を表示部４４に表示させる表示制御手段と、を備える。【選択図】図４
2020092949.tif 000002
【特許請求の範囲】
【請求項１】
元画像及び前記元画像を解析して得られる解析画像を他の装置から取得する取得手段と、
前記取得手段が取得した前記元画像と前記解析画像の一方の画像に所定の画像処理を施す、又は前記元画像と前記解析画像の両方の画像に異なる画像処理をそれぞれ施す画像処理手段と、
前記取得手段が取得した前記元画像又は前記画像処理手段が前記元画像に画像処理を施して得られた処理済み元画像に、前記取得手段が取得した前記解析画像又は前記画像処理手段が前記解析画像に画像処理を施して得られた処理済み解析画像を重畳して処理済み重畳画像を生成する重畳手段と、
前記重畳画像を表示部に表示させる表示制御手段と、を備えることを特徴とする医用画像表示装置。
【請求項２】
前記取得手段は、前記元画像及び前記解析画像を、前記元画像に前記解析画像が一体化したデータの形で取得するようになっており、
前記一体化したデータから前記解析画像を抽出する抽出手段を備え、
前記画像処理手段は、前記一体化したデータから抽出した前記解析画像と前記抽出手段が前記解析画像を抽出した後に残る前記元画像の少なくとも一方の画像に画像処理を施し、
前記重畳手段は、前記抽出手段が前記解析画像を抽出した後に残る前記元画像又は前記画像処理手段が前記元画像に画像処理を施して得られた処理済み元画像に、前記抽出手段が抽出した前記解析画像又は前記画像処理手段が前記解析画像に画像処理を施して得られた処理済み解析画像を重畳して処理済み重畳画像を生成することを特徴とする請求項１に記載の医用画像表示装置。
【請求項３】
前記取得手段は、前記元画像及び前記解析画像を、それぞれ独立したデータの形で取得するようになっており、
前記画像処理手段は、前記取得手段が取得した前記解析画像と前記元画像の少なくとも一方の画像に画像処理を施し、
前記重畳手段は、前記取得手段が取得した前記元画像又は前記画像処理手段が前記元画像に画像処理を施して得られた処理済み元画像に、前記取得手段が取得した前記解析画像又は前記画像処理手段が前記解析画像に画像処理を施して得られた処理済み解析画像を重畳して処理済み重畳画像を生成することを特徴とする請求項１に記載の医用画像表示装置。
【請求項４】
前記画像処理手段は、前記画像処理として、階調処理を施すことを特徴とする請求項１から請求項３のいずれか一項に記載の医用画像表示装置。
【請求項５】
ユーザーが操作可能な操作部と、
階調処理のパラメーターとなる複数の異なる数値をプリセットとして格納する記憶部と、を備え、
前記画像処理手段は、
前記ユーザーが前記操作部に行った操作に基づいて前記プリセット格納手段から対応するプリセットを取得し、取得したプリセットに基づいて階調処理を行うことを特徴とする請求項４に記載の医用画像表示装置。
【請求項６】
前記画像処理手段は、前記画像処理として、透過度を変化させる透過度変更処理を施すことを特徴とする請求項１から請求項３のいずれか一項に記載の医用画像表示装置。
【請求項７】
前記画像処理手段は、前記画像処理として、表示する際の色相を変更する色相変更処理を施すことを特徴とする請求項１から請求項３のいずれか一項に記載の医用画像表示装置。
【請求項８】
前記元画像は、複数のフレーム画像を有する動態画像であることを特徴とする請求項１から７のいずれか一項に記載の医用画像表示装置。
【請求項９】
前記画像処理手段は、前記画像処理として、各画素の信号値にそれぞれ画素の過去所定期間における特定の信号値を反映させることで残像画像を生成する残像画像生成処理を施すことを特徴とする請求項８に記載の医用画像表示装置。
【請求項１０】
前記画像処理手段は、前記画像処理として、周波数強調処理又は輪郭抽出処理を施すことを特徴とする請求項９に記載の医用画像表示装置。
【請求項１１】
前記画像処理手段は、処理対象の解析画像が胸部の動態画像である場合に、前記画像処理として、呼気動作時の色相と吸気動作時の色相とをそれぞれ異ならせる色相変更処理を施すことを特徴とする請求項８から請求項１０のいずれか一項に記載の医用画像表示装置。
【請求項１２】
元画像を生成する撮影装置と、
前記撮影装置が生成した前記元画像を解析して解析画像を生成し、前記元画像及び前記解析画像を出力する画像解析装置と、
請求項１から請求項１１のいずれか一項に記載の医用画像表示装置と、を備えることを特徴とする医用画像表示システム。
【発明の詳細な説明】
【技術分野】
【０００１】
本発明は、医用画像表示装置及び医用画像表示システムに関する。
【背景技術】
【０００２】
撮影装置で生成された医用画像は、そのまま医師の手元にある医用画像表示装置（ＰＣや携帯端末等）に表示され、医師の診断に用いられる。
医用画像に対しては、アノテーション等の付加情報を、医用画像表示装置で重畳表示することが従来行われている。ＤＩＣＯＭ規格においても、６０００番台オーバーレイと呼ばれる機能により、図形やテキスト情報等を深度１ｂｉｔのオーバーレイとして重畳表示することができるようになっている。
また、近年は撮影装置で生成された医用画像を、まず画像解析装置に送り、専門の担当者による解析を経た後、その解析結果と共に医用画像表示装置へ送るようにすることで、医用画像と解析結果を共に医用画像表示装置に表示して医師の診断に供する場合がある。
その際、図形や文字情報の代わりに、例えば医用画像を解析して得られた解析画像を元の医用画像である元画像に重畳した重畳画像を画像解析装置で生成し、医用画像表示装置で表示することも行われている。
【０００３】
例えば、特許文献１には、動画表示しているオリジナル解析結果画像の上に、透過度を調整可能な位相合わせ解析結果画像の特定の１フレーム（例えば、極大点のフレーム）を重ねて表示する動態解析システムについて記載されている。これにより、視線を動かすことなく、肺野領域内における解析結果の位相のずれ、及び血流や換気の異常部分があるか否かを同時に確認することが可能となる。
また、特許文献２には、換気機能に係る特徴量及び肺血流機能に係る特徴量のそれぞれに応じた輝度値もしくは色で表した換気機能と肺血流機能の双方のマップを併せて表示する動態画像解析装置について記載されている。
【先行技術文献】
【特許文献】
【０００４】
【特許文献１】特開２０１７−０１８６８１号公報
【特許文献２】特開２０１６−０４７２９４号公報
【発明の概要】
【発明が解決しようとする課題】
【０００５】
しかしながら、現在ＤＩＣＯＭで規格化されている方法では、１ｂｉｔ以上の深さのオーバーレイを表現できないため、上述した重畳画像は、解析画像が元画像に埋め込まれた重畳画像の形で生成することになる。このため、従来の医用画像表示装置では、解析画像の特定領域を見やすくするために解析画像の階調を変更しようとすると、背後に重畳されている元画像の階調も一緒に変化してしまうため、解析画像と元画像の両方を同時に適切な階調で観察することができない、という課題があった。
一方、医用画像を解析する画像解析装置は、こうした解析画像のみの階調変更が可能となっているものが多い。しかし、階調を変更する度に、重畳画像を画像解析装置に送信し、変更後の重畳画像を受信して表示するのでは、画像解析装置で画像を再作成する必要があり手間と時間がかかり過ぎてしまう。  
【０００６】
本発明は、上記課題に鑑みてなされたものであり、元画像に、元画像を解析して得られた解析画像が重畳された重畳画像を用いて診断を行う際に、医師が、その場で時間をかけることなく解析画像のみを見やすくできるようにすることを目的とする。
【課題を解決するための手段】
【０００７】
上記課題を解決するため、本発明は、
元画像及び前記元画像を解析して得られる解析画像を他の装置から取得する取得手段と、
前記取得手段が取得した前記元画像と前記解析画像の一方の画像に所定の画像処理を施す、又は前記元画像と前記解析画像の両方の画像に異なる画像処理をそれぞれ施す画像処理手段と、
前記取得手段が取得した前記元画像又は前記画像処理手段が前記元画像に画像処理を施して得られた処理済み元画像に、前記取得手段が取得した前記解析画像又は前記画像処理手段が前記解析画像に画像処理を施して得られた処理済み解析画像を重畳して処理済み重畳画像を生成する重畳手段と、
前記重畳画像を表示部に表示させる表示制御手段と、を備えることを特徴とする。
【発明の効果】
【０００８】
本発明によれば、重畳画像を用いて診断を行う際に、医師が、その場で時間をかけることなく解析画像のみを見やすくすることができる。
【図面の簡単な説明】
【０００９】
【図１】本発明の第一（第二）実施形態に係る医用画像表示システムを表すブロック図である。
【図２】図１の医用画像表示システムが備える画像解析装置を表すブロック図である。
【図３】図１の医用画像表示システムが備える医用画像表示装置を表すブロック図である。
【図４】第一実施形態に係る医用画像表示装置が実行する処理の流れを表す図である。
【図５】第二実施形態に係る医用画像表示装置が実行する処理の流れを表す図である。
【発明を実施するための形態】
【００１０】
以下、本発明の実施の形態について、図面を参照しながら説明する。ただし、本発明の範囲は、以下の実施形態や図面に記載されたものに限定されるものではない。
【００１１】
＜第一実施形態＞
初めに、本発明の第一実施形態について、図１〜４を参照しながら説明する。
なお、図１〜３における括弧書きの符号は、後述する第二実施形態のものである。
【００１２】
〔放射線撮影システム〕
まず、本実施形態に係る医用画像表示システム１００の概略構成について説明する。図１は医用画像表示システム１００を表すブロック図である。
【００１３】
本実施形態の医用画像表示システム１００は、図１に示すように、撮影装置１と、コンソール２と、画像解析装置３と、医用画像表示装置４と、を備えている。
これらは、通信ネットワーク５を介して互いに通信可能となっている。
また、医用画像表示システム１００は、図示しない病院情報システム（Hospital Information System：ＨＩＳ）や、放射線科情報システム（Radiology Information System：ＲＩＳ）、画像保存通信システム（Picture Archiving and Communication System：ＰＡＣＳ）等と接続することが可能となっている。
【００１４】
撮影装置１は、後述する画像解析装置３で解析する医用画像を生成することが可能なものであればよく、例えば放射線発生装置が発生させた放射線に応じた放射線画像を生成する放射線画像撮影装置等を用いることができる。
なお、撮影装置を、通信ネットワーク５に直接接続するのではなく、コンソール２や画像解析装置３等）を介して接続するようにしてもよい。
また、撮影装置１から他の装置２，３への医用画像の転送は、通信ネットワーク５を介して行うのではなく、記憶媒体やケーブルを用いて行うようにしてもよい。
【００１５】
コンソール２は、ＰＣや専用の装置で構成されている。
また、コンソール２は、他の装置等（ＨＩＳやＲＩＳ等）から取得した検査情報や操作者による操作に基づいて、各種撮影条件（管電圧や管電流、照射時間（ｍＡｓ値）、フレームレート等）を撮影装置等に設定することが可能となっている。
【００１６】
画像解析装置３は、ＰＣや専用の装置、クラウド上の仮想サーバー等で構成されている。
また、画像解析装置３は、撮影装置から取得した医用画像を解析して解析画像を生成し、医用画像及び解析画像を出力することが可能となっている。
以下、解析画像の元となる医用画像を「元画像Ｉ０」と称する。
この画像解析装置３の詳細については後述する。
【００１７】
本実施形態における医用画像表示装置４は、ＰＣや携帯端末、専用の装置等で構成されている。
この医用画像表示装置４の詳細についても後述する。
【００１８】
〔画像解析装置〕
次に、上記医用画像表示システム１００が備える画像解析装置３の具体的構成について説明する。図２は画像解析装置３を表すブロック図である。
【００１９】
本実施形態に係る画像解析装置３は、図２に示すように、制御部３１と、通信部３２と、記憶部３３と、を備えている。
【００２０】
制御部３１は、ＣＰＵ（Central Processing Unit）、ＲＡＭ（Random Access Memory）等により構成される。制御部３１のＣＰＵは、記憶部３３に記憶されている各種プログラムを読出してＲＡＭ内に展開し、展開されたプログラムに従って各種処理を実行し、画像解析装置３各部の動作を集中制御する。
【００２１】
通信部３２は、無線モジュール等で構成され、通信ネットワーク５（ＬＡＮ（Local Area Network）、ＷＡＮ（Wide Area Network）、インターネット等）を介して接続された他の装置等１，２，４との間で各種信号や各種データを送受信することが可能となっている。
【００２２】
記憶部３３は、不揮発性の半動態メモリーやハードディスク等により構成され、制御部３１が実行する各種プログラムやプログラムの実行に必要なパラメーター等を記憶している。
また、記憶部３３は、各種画像（元画像や解析画像）を記憶することが可能となっている。
【００２３】
このように構成された画像解析装置３の制御部３１は、以下のような機能を有している。
例えば、制御部３１は、元画像のデータを、通信部３２を介して他の装置等（撮影装置１、コンソール２等）から取得する機能を有している。
ここで取得される元画像には、静止画像と、複数のフレーム画像を有する動態画像と、が含まれる。
【００２４】
また、制御部３１は、取得した元画像を解析し、解析画像を生成する機能を有している。
具体的には、特定成分差分処理、特定成分追跡処理、特定信号変化量抽出処理、特定類似波形パターン抽出処理、集積画像差分処理といった各種処理のうちの少なくともいずれかの処理を行う。
【００２５】
このうち「特定成分差分処理」は、撮影対象部位における特定領域（例えば肺野内の肋骨や鎖骨）の信号値を低減することにより、特定領域以外の領域の視認性を高める処理である。
また、「特定成分追跡処理」は、撮影対処部位における特定領域（例えば横隔膜）の移動量や速度を算出したり、二つの異なる特定領域の間（例えば肺尖と横隔膜との間）の距離を算出したりする処理である。
また、「特定信号変化量抽出処理」は、信号値の変化量を色の違いにより可視化する処理である。
また、「特定類似波形パターン抽出処理」は、特定の信号変化との類似度を色の違いにより可視化する処理である。
また、「集積画像差分処理」は、最大信号値の集積画像と最小信号値の集積画像の差分を表示することにより、撮影内での信号変化の総量を可視化する処理である。
なお、これらの解析は、複数組み合わせて施すことも可能である。
【００２６】
また、制御部３１は、解析画像のデータを、通信部３２を介して医用画像表示装置４へ送信する機能を有している。
本実施形態においては、元画像及び解析画像を、元画像に解析画像が一体化した重畳画像Ｉｏｒｇのデータ（以下、重畳画像データＤｏｒｇ（図４参照））の形で出力するようになっている。
【００２７】
〔医用画像表示装置〕
次に、上記医用画像表示システムが備える医用画像表示装置４の具体的構成について説明する。図３は医用画像表示装置４を表すブロック図、図４は医用画像表示装置４が実行する処理の流れを表す図である。
【００２８】
本実施形態に係る医用画像表示装置４は、図３に示すように、制御部４１と、通信部４２と、記憶部４３と、表示部４４と、操作部４５と、を備えている。
【００２９】
制御部４１や通信部４２は、画像解析装置３における制御部３１や通信部３２と同様に構成されている。
【００３０】
記憶部４３は、不揮発性の半動態メモリーやハードディスク等により構成され、制御部４１が実行する各種プログラムやプログラムの実行に必要なパラメーター等を記憶している。
また、記憶部４３は、撮影装置１から取得した元画像Ｉ０のデータ（以下、元画像データＤ０）や、画像解析装置３が生成した解析画像Ｉａのデータ（以下、解析画像データＤａ）、自身が画像処理を施すことによって得られる処理済み元画像のデータ、処理済み解析画像Ｉｔのデータ（以下、処理済み解析画像データＤｔ）、処理済み重畳画像Ｉのデータ（以下、処理済み重畳画像データＤ）を記憶することが可能となっている。
なお、記憶部４３に、後述する階調処理のパラメーターとなる複数の異なる数値をプリセットとして格納しておくようにしてもよい。
【００３１】
表示部４４は、ＬＣＤ（Liquid Crystal Display）やＣＲＴ（Cathode Ray Tube）等のモニターにより構成され、制御部４１から入力される表示信号の指示に従って、各種画像や各種情報等を表示するようになっている。
【００３２】
操作部４５は、カーソルキーや、数字入力キー、各種機能キー等を備えたキーボードや、マウス等のポインティングデバイス、表示部４４の表面に積層されたタッチパネル等によって操作者が操作可能に構成されている。
そして、操作部４５は、操作者によってなされた操作に基づく各種信号を制御部３１に出力する。
なお、医用画像表示装置４に操作部４５を備えるのではなく、コンソール２や画像解析装置３等に操作部を設けるようにしてもよい。
【００３３】
このように構成された医用画像表示装置４の制御部４１は、以下のような機能を有している。
例えば、制御部４１は、元画像Ｉ０及び元画像Ｉ０を解析して得られる解析画像Ｉａを他の装置から取得する機能を有している。
上述したように、本実施形態においては、画像解析装置３が、元画像及び解析画像を、元画像Ｉ０に解析画像Ｉａが一体化した重畳画像データＤｏｒｇの形で出力するようになっているため、本実施形態に係る制御部４１は、例えば図４に示すような、元画像Ｉ０及び解析画像Ｉａを重畳画像データＤｏｒｇの形で取得するようになっている。
すなわち、制御部４１は、本発明における取得手段をなす。
【００３４】
また、本実施形態に係る制御部４１は、重畳画像データＤｏｒｇから解析画像Ｉａを抽出する機能を有している。
例えば、元画像Ｉ０がＲＦ（Radio Fluoroscopy）画像であり、その解析画像Ｉａが青色で表現される場合、これらはモノクローム画像であるため、後述する階調処理を施す前の解析画像Ｉａにおける各画素の信号値は、下記式（１−１）〜（１−３）を用いて算出することができる。
Ｒａ０＝０・・（１−１）
Ｇａ０＝０・・（１−２）
Ｂａ０＝Ｂｏｒｇ−Ｒｏｒｇ・・（１−３）
ここで、Ｒａ０は解析画像Ｉａの赤色成分、Ｇａ０は解析画像Ｉａの緑色成分、Ｂａ０は解析画像Ｉａの青色成分、Ｒｏｒｇは重畳画像Ｉｏｒｇの赤色成分、Ｂｏｒｇは重畳画像Ｉｏｒｇの青色成分である。
【００３５】
また、元画像Ｉ０における各画素の信号値は、下記式（２−１）〜（２−３）を用いて算出することができる。
Ｒ０＝Ｒｏｒｇ・・（２−１）
Ｇ０＝Ｇｏｒｇ・・（２−２）
Ｂ０＝Ｂｏｒｇ−Ｂａ・・（２−３）
ここで、Ｒ０は元画像Ｉ０の赤色成分、Ｇ０は元画像Ｉ０の緑色成分、Ｂ０は元画像Ｉ０の青色成分、Ｒｏｒｇは重畳画像Ｉｏｒｇの赤色成分、Ｇｏｒｇは重畳画像Ｉｏｒｇの緑色成分、Ｂｏｒｇは重畳画像Ｉｏｒｇの青色成分である。
こうした演算を行うことで、図４に示すように、重畳画像データＤｏｒｇが元画像データＤ０と解析画像データＤａとに分離される。
制御部４１は、上述したような機能を有することにより、本発明における抽出手段をなす。
【００３６】
また、本実施形態に係る制御部４１は、抽出した解析画像Ｉａと解析画像Ｉａを抽出した後に残る元画像Ｉ０の一方の画像に所定の画像処理を施す、又は元画像Ｉ０と解析画像Ｉａの両方の画像に異なる画像処理をそれぞれ施す機能を有している。
本実施形態においては、画像処理として、階調処理、透過率変更処理、色相変更処理、残像画像生成処理、周波数強調処理、輪郭抽出処理のうちの少なくともいずれかの処理を施すようになっている。
【００３７】
例えば、画像処理として階調処理を施す場合には、制御部４１は、まず、処理を行う際に用いる各種パラメーターの設定を受け付ける。ユーザーが操作部４５等を介してパラメーターを設定すると、制御部４１は、例えば下記式（３）を用いて、処理済み解析画像における各画素の信号値を算出する。
Ｓａ＝ｌ×Ｓａ０＋ｍ・・（３）
ここで、Ｓａ０は解析画像Ｉａの赤色、緑色、青色の各信号値（Ｒａ０，Ｇａ０，Ｂａ０）、Ｓａは処理済み解析画像Ｉｔの赤色、緑色、青色の各信号値（Ｒａ，Ｇａ，Ｂａ）、ｌは傾き、ｍはオフセットである。
ここで、例えばｌ＝２．０、ｍ＝０に設定すると、信号値の変化が強調されるため、微小な変化を分かり易くすることができる。
【００３８】
なお、元画像Ｉ０と解析画像Ｉａの両方に階調処理を施す場合には、それぞれに適用するパラメーターの値を異ならせるようにする。
また、こうしたｌの値とｍの値の組み合わせを複数種類プリセットとして記憶部４３に格納しておくとともに、各プリセットを操作部４５に対応付けておくことで、ユーザーが操作部４５に行った操作に基づいて記憶部４３から対応するプリセットを取得し、取得したプリセットに基づいて階調処理を行うようにしてもよい。
【００３９】
透過度変更処理は、透過度を変化させる処理である。
この透過度変更処理を施す場合には、制御部４１は、まず、処理対象の画像の透過度α（％）の設定を受け付ける。ユーザーが操作部４５等を介して透過度αを設定すると、制御部４１は、例えば下記式（４）を用いて、重畳画像Ｉｏｒｇにおける各画素の信号値を算出する。
Ｓ=Ｓａ×α／１００＋Ｓｏｒｇ×（１−α／１００）・・（４）
ここで、Ｓは重畳画像Ｉｏｒｇの赤色、緑色、青色の各信号値、Ｓａは処理済み解析画像Ｉｔの赤色、緑色、青色の各信号値、αは透過率である。
なお、元画像Ｉ０と解析画像Ｉａの両方に透過度変更処理を施す場合には、それぞれに設定する透過度αの値を異ならせるようにする。
【００４０】
色相変更処理は、表示する際の色相を変更する処理である。
色相変更処理を行う場合には、制御部４１は、まず、色相の設定を受け付ける。ユーザーが操作部４５等を介して色相を設定すると、制御部４１は、対象の画像の信号値を、設定された色相となるよう調整する。
なお、元画像Ｉ０と解析画像Ｉａの両方に色相変更処理を施す場合には、それぞれに設定する色相を異ならせるようにする。
また、色相変更処理を施す対象の医用画像が胸部の動態画像である場合に、呼気動作時の色相と吸気動作時の色相とをそれぞれ異ならせるようにしてもよい。動態画像（特に動態解析が施された解析導体画像等）は、表示が経時変化して静止画よりも見にくくなるため、このような構成とすることは、導体画像を見やすくする上で効果的である。
【００４１】
残像画像生成処理は、各画素の信号値にそれぞれの画素の過去所定時間における特定の信号値を反映させることで残像画像を生成する処理である。
特定の信号値には、信号値の最大値、最小値、当該信号値に所定の補正をかけた補正信号値の最大値、最小値等が含まれる。
残像画像生成処理を行う場合には、制御部４１は、処理対象の動態画像の中から過去所定期間における複数のフレームの同一位置の画素の信号値を参照し、その中で最大又は最小の信号値を当該画素の信号値として採用する。もしくは、過去所定期間における複数のフレームの同一位置の画素の信号値において、過去のフレームと現在のフレームとの時間の差の大きさに応じて信号値を減じた値の中で最大の信号値を使ってもよい。
【００４２】
周波数強調処理は、画像の特定領域におけるエッジ部分の周波数を強調することにより特定領域を鮮明にする処理である。
また、輪郭抽出処理は、処理対象の画像を、被写体の輪郭線だけが写った画像に変換する処理である。
【００４３】
こうした演算を行うことで、図４に示したように、解析画像データＤａから処理済み解析画像データＤｔが生成されたり、元画像データＤ０から処理済み元画像データが生成されたりする。
本実施形態に係る制御部４１は、上述したような機能を有することにより、本発明における画像処理手段をなす。
【００４４】
また、制御部４１は、解析画像Ｉａを抽出した後に残る元画像Ｉ０又は元画像Ｉ０に画像処理を施して得られた処理済み元画像に、抽出した解析画像Ｉａ又は解析画像Ｉａに画像処理を施して得られた処理済み解析画像を重畳して処理済み重畳画像Ｉを生成する機能を有している。
本実施形態においては、例えば下記式（５）を用いて、処理済み重畳画像Ｉにおける各画素の信号値を算出する。
Ｓ＝Ｓａ＋α×Ｓ０・・（５）
ここで、Ｓは処理済み重畳画像Ｉの赤色、緑色、青色の各信号値、αはブレンド係数、Ｓ０は元画像Ｉ０の赤色、緑色、青色の各信号値である。
【００４５】
この演算を行うことにより、図４に示したように、元画像Ｉ０に処理済み解析画像Ｉｔが重畳された処理済み重畳画像Ｉが生成されたり、処理済み元画像に解析画像Ｉａが重畳された処理済み重畳画像Ｉが生成されたり、処理済み元画像に処理済み解析画像Ｉｔが重畳された処理済み重畳画像Ｉが生成されたりする。
すなわち、本実施形態に係る制御部４１は、本発明における重畳手段をなす。
【００４６】
また、制御部４１は、生成した処理済み重畳画像Ｉを表示部４４に表示させる機能を有している。
例えば、処理済み重畳画像Ｉを生成する前に解析画像Ｉａに階調処理を施す場合には、例えば図４に示したように、画像解析装置３から取得直後の初期パラメーターで解析された解析画像Ｉａにおいては、左右の肺野の解析結果ＡＲ，ＡＬに差異が見られないが、階調処理によって表示をするか否かの閾値を下げることで、医用画像表示装置４で表示する段階の重畳画像は、左右の肺野の解析結果ＡＲ，ＡＬ（表示される範囲）に差異を生じさせる（図４には右肺の解析結果の表示範囲が狭くなる場合を例示）といった表示が可能となる。これにより、より詳細な診断が可能となる。
また、画像処理として透過度変更処理を施すことで、元画像Ｉ０に対し、例えば特定成分差分処理を施すことにより生成された肋骨減弱画像を重ねて表示する際に、肋骨減弱画像の向こうに元画像Ｉ０が透けて見える重畳画像を表示することができる。
本実施形態に係る制御部４１は、上述したような機能を有することにより、本発明における表示制御手段をなす。
【００４７】
以上、本実施形態に係る医用画像表示装置４の具体的構成について説明してきたが、医用画像表示装置４が有する上記各種機能の少なくとも一部は、コンソール２や他の表示部を有する装置等に持たせるようにしてもよい。
【００４８】
以上、本実施形態に係る医用画像表示システム１００によれば、元画像Ｉ０に解析画像Ｉａが重畳された重畳画像における元画像Ｉ０と解析画像Ｉａのうち一方の画像の画質が他方の画質に対して変化するため、解析画像Ｉａを相対的に見やすくすることができる。
また、医用画像表示装置４は、ＰＣや携帯端末等で構成されるため、医師が診断を行う場所に配置することができるし、元画像Ｉ０や解析画像Ｉａを画像解析装置３へ転送することなく、これらの少なくとも一方に自ら画像処理を施すことができるため、医師が、その場で時間をかけることなく解析画像Ｉａのみを見やすくすることができる。
【００４９】
＜第二実施形態＞
次に、本発明の第二実施形態について、図１〜３，５を参照しながら説明する。なお、上記第一実施形態と同様の構成には同一の符号を付し、その説明を省略する。
【００５０】
本実施形態に係る医用画像表示システム１００Ａ（図１参照）は、画像解析装置３Ａ（図１，３参照）から医用画像表示装置４（図１，３参照）へ転送される元画像Ｉ０及び解析画像Ｉａのデータ形式が、上記第一実施形態に係る医用画像表示システム１００と異なる。
【００５１】
具体的には、本実施形態に係る画像解析装置３Ａは、記憶部３３Ａに記憶されているプログラムが上記第一実施形態の画像解析装置３と異なっている。
これにより、上記第一実施形態の画像解析装置３が、元画像Ｉ０及び解析画像Ｉａを、元画像Ｉ０に解析画像Ｉａが重畳された重畳画像Ｉｏｒｇ（重畳画像データＤｏｒｇ）の形で出力するようになっていたのに対し、本実施形態に係る画像解析装置３Ａの制御部３１は、元画像Ｉ０及び解析画像Ｉａを、別々の独立データ（元画像データＤ０と解析画像データＤａ）の形で出力するようになっている。
なお、具体的な解析の内容は、上記第一実施形態のものと同様である。
【００５２】
また、本実施形態に係る医用画像表示装置４Ａは、記憶部４３Ａに記憶されているプログラムが上記第一実施形態の医用画像表示装置４と異なっている。
これにより、上記第一実施形態の医用画像表示装置４が、元画像Ｉ０及び解析画像Ｉａを、元画像Ｉ０に解析画像Ｉａが重畳された重畳画像Ｉｏｒｇの形で取得するようになっていたのに対し、本実施形態に係る医用画像表示装置４の制御部４１は、元画像Ｉ０及び解析画像Ｉａを、例えば図５に示すように、別々の独立データＤ０，Ｄａの形で取得するようになっている。
このため、本実施形態に係る医用画像表示装置４Ａは、上記第一実施形態の医用画像表示装置４が有していた抽出手段としての機能を有していない。
【００５３】
また、制御部４１は、取得した元画像Ｉ０と解析画像Ｉａの一方の画像に所定の画像処理を施す、又は元画像Ｉ０と解析画像Ｉａの両方の画像に異なる画像処理をそれぞれ施す機能を有している。
なお、具体的な画像処理の内容は、上記第一実施形態のものと同様である。
すなわち、本実施形態に係る制御部４１も、本発明における画像処理手段をなす。
【００５４】
また、制御部４１は、取得した元画像Ｉ０又は元画像Ｉ０に画像処理を施して得られた処理済み元画像に、取得した解析画像Ｉａ又は解析画像Ｉａに画像処理を施して得られた処理済み解析画像Ｉｔを重畳して処理済み重畳画像Ｉを生成する機能を有している。
なお、具体的な処理済み重畳画像Ｉの生成方法は、上記第一実施形態と同様である。
すなわち、本実施形態に係る制御部４１も、本発明における重畳手段をなす。
【００５５】
以上、本実施形態に係る医用画像表示システム１００Ａによれば、上記第一実施形態の医用画像表示システム１００と同様に、元画像Ｉ０に解析画像Ｉａが重畳された重畳画像Ｉｏｒｇにおける元画像Ｉ０と解析画像Ｉａのうち一方の画像の画質が他方の画質に対して変化するため、解析画像Ｉａを相対的に見やすくすることができる。
また、医用画像表示装置４Ａは、ＰＣや携帯端末等で構成されるため、医師が診断を行う場所に配置することができるし、元画像Ｉ０や解析画像Ｉａを画像解析装置３Ａへ転送することなく、これらの少なくとも一方に自ら画像処理を施すことができるため、医師が、その場で時間をかけることなく解析画像Ｉａのみを見やすくすることができる。
【符号の説明】
【００５６】
１００，１００Ａ  医用画像表示システム
１  撮影装置
２  コンソール
３，３Ａ  画像解析装置
３１  制御部
３２  通信部
３３，３３Ａ  記憶部
４，４Ａ  医用画像表示装置
４１  制御部
４２  通信部
４３，４３Ａ  記憶部
４４  表示部
４５  操作部
５  通信ネットワーク
ＡＲ，ＡＬ  解析結果
Ｄ  処理済み重畳画像データ
Ｄ０  元画像データ
Ｄａ  解析画像データ
Ｄｏｒｇ  重畳画像データ
Ｄｔ  処理済み解析画像データ
Ｉ  処理済み重畳画像
Ｉ０  元画像
Ｉａ  解析画像
Ｉｏｒｇ  重畳画像
Ｉｔ  処理済み解析画像
【図１】
2020092949.tif 000003
【図２】
2020092949.tif 000004
【図３】
2020092949.tif 000005
【図４】
2020092949.tif 000006
【図５】
2020092949.tif 000007